(57)【要約】【課題】支持棹を倒して地面等の水平な支持面に安定して載置することのできる刈払機を提供する。【解決手段】刈払機１０は、支持棹１１の前端部に設けたカッタユニット２０と、支持棹１１の後端部に設けたコントローラユニット３０と、支持棹１１の前端部に固定されて回転刃２４の後側を覆うカバー４０とを備え、支持棹１１を倒して水平な支持面Ｓに載置した載置状態にて、刈払機１０の前端部はカバー４０の下端部に支持面Ｓに接地するカバー接地部４１と、刈払機１０の後端部は後端ハウジング３１に支持面に接地する後端ハウジング接地部３２とを備え、カバー接地部４１と後端ハウジング接地部３２との両方には前後方向と交差する幅方向に互いに離間した少なくとも２つの接地点を有した。【選択図】図５
2014117260.tif 000002
【特許請求の範囲】
【請求項１】
支持棹と、
前記支持棹の前端部に固定した前端ハウジングと前記前端ハウジングに回転可能に支持した回転刃とを有したカッタユニットと、
前記支持棹の後端部に固定した後端ハウジングと前記後端ハウジングに収容した制御回路とを有したコントローラユニットと、
前記支持棹の前端部または前記前端ハウジングに固定されて前記回転刃の後側を覆うカバーとを備え、
前記支持棹を倒して水平な支持面に載置した載置状態にて、前記カバーの下端部には前記支持面に接地するカバー接地部と、前記後端ハウジングには前記支持面に接地する後端ハウジング接地部とを備え、
前記カバー接地部と前記後端ハウジング接地部との両方には各々に前後方向と交差する幅方向に互いに離間した少なくとも２つの接地点を有したことを特徴とする刈払機。
【請求項２】
請求項１に記載の刈払機において、
前記カバー接地部と前記後端ハウジング接地部との少なくとも一方は前記接地点が前記幅方向に連続するようにしたことを特徴とする請求項１に記載の園芸用バリカン。
【請求項３】
請求項１または２に記載の刈払機において、
前記後端ハウジングは前記載置状態にて前記幅方向の長さよりも高さ方向の長さが長いことを特徴とする刈払機。
【請求項４】
請求項１〜３の何れか１項に記載の刈払機において、
前記カッタユニットを駆動する電源が、前記後端ハウジングの後部、かつ、前記後端ハウジングの接地状態にて前記支持面から離間して取り付けられることを特徴とする刈払機。
【請求項５】
請求項１〜４の何れか１項に記載した刈払機において、
前記支持棹の前後方向の中間部には前記幅方向、または上方向に延びるハンドルを備えたことを特徴とする刈払機。
【発明の詳細な説明】
【技術分野】
【０００１】
本発明は、草や芝等を刈り払う刈払機に関する。
【背景技術】
【０００２】
特許文献１にはこの種の刈払機が開示されており、この刈払機は、支持棹と、支持棹の前端部に固定した前端ハウジングとこの前端ハウジングに回転可能に支持した回転刃とを有したカッタユニットと、支持棹の後端部に固定した後端ハウジングとこの後端ハウジングに収容した制御回路とを有したコントローラユニットとを備えている。この刈払機においては、支持棹の前端部には回転刃の後側を覆うカバーが設けられ、支持棹の前後方向の中間部には前後方向と交差する左右方向に延びるハンドルが設けられている。刈払機を使用するときには、左右の手でハンドルの左右両端部のグリップを把持し、支持棹の前端部のカッタユニットの回転する回転刃を地面から生える草に当てて刈り払うようにする。
【先行技術文献】
【特許文献】
【０００３】
【特許文献１】特開２０１２−１９１８８０号公報
【発明の概要】
【発明が解決しようとする課題】
【０００４】
上記の刈払機を使用しないときには、支持棹を倒して地面等の水平な支持面に載置する。刈払機を地面等に倒して載置したときには、前端部ではカバーが地面に接地され、後端部では後端ハウジングが地面に接地される。刈払機を倒して地面等に載置したときに、カバーは円形の回転刃の後側を覆うように円弧形状をしているので、刈払機の前端部はカバーの円弧面により左右方向に傾きやすく不安定となっていた。また、ハンドルが支持棹の長手方向と交差する左右方向に延びているので、刈払機の前端部はハンドルの左右の端部一方が地面に接地するまでカバーの円弧面を転がるように傾き、カッタユニットの回転刃が例えばコンクリートのような固い地面に当たって欠けるおそれがあった。本発明は、支持棹を倒して地面等の水平な支持面に安定して載置することのできる刈払機を提供することを目的とする。
【課題を解決するための手段】
【０００５】
上記課題を解決するために、本発明は、支持棹と、支持棹の前端部に固定した前端ハウジングと前端ハウジングに回転可能に支持した回転刃とを有したカッタユニットと、支持棹の後端部に固定した後端ハウジングと後端ハウジングに収容した制御回路とを有したコントローラユニットと、支持棹の前端部または前端ハウジングに固定されて回転刃の後側を覆うカバーとを備え、支持棹を倒して水平な支持面に載置した載置状態にて、カバーの下端部には支持面に接地するカバー接地部と、後端ハウジングには支持面に接地する後端ハウジング接地部とを備え、カバー接地部と後端ハウジング接地部との両方には前後方向と交差する幅方向に互いに離間した少なくとも２つの接地点を有したことを特徴とする刈払機を提供するものである。
【０００６】
上記のように構成した刈払機においては、カバー接地部と後端ハウジング接地部との両方には各々に前後方向と交差する幅方向に互いに離間した少なくとも２つの接地点を有しているので、支持棹を倒して水平な支持面に載置したときに、刈払機を安定して支持面に載置することができる。
【０００７】
上記のように構成した刈払機においては、カバー接地部と後端ハウジング接地部との少なくとも一方は接地点が幅方向に連続するのが好ましく、このようにしたときには、刈払機をさらに安定して支持面に載置することができる。
【０００８】
上記のように構成した刈払機においては、後端ハウジングは載置状態にて幅方向の長さよりも高さ方向の長さが長いものを用いたときに、刈払機の後端ハウジングが倒れやすくなるが、支持棹の前後方向の両端部の各々に幅方向に互いに離間した少なくとも２つの接地点が支持面に接地しているので、刈払機を安定して支持面に載置することができる。
【０００９】
上記のように構成した刈払機においては、カッタユニットを駆動する電源が、後端ハウジングの後部、かつ、後端ハウジングの接地状態にて支持面から離間して取り付けられることで、濡れた支持面に載置しても電源が濡れにくくなる。しかし、後端ハウジングの重心が電源により高くなることで、後端ハウジングが倒れやすくなるが、支持棹の前後方向の両端部の各々に幅方向に互いに離間した少なくとも２つの接地点が支持面に接地しているので、刈払機を安定して支持面に載置することができる。
【００１０】
上記のように構成した刈払機においては、支持棹の前後方向の中間部には幅方向、または上方向に延びるハンドルを備えたときに、刈払機が支持面に傾きやすくなるが、支持棹の前後方向の両端部の各々に幅方向に互いに離間した少なくとも２つの接地点が支持面に接地しているので、刈払機を安定して支持面に載置することができる。
【図面の簡単な説明】
【００１１】
【図１】本発明の刈払機の一実施形態を示す斜視図である。
【図２】図１の前端部の断面図である。
【図３】図１の前端部を斜め後方から見た斜視図である。
【図４】図１の後端部の（ａ）側面図と（ｂ）底面図である。
【図５】図１の刈払機を支持面に載置したときの側面図である。
【図６】図５の後面図である。
【発明を実施するための最良の形態】
【００１２】
以下、本発明の刈払機の一実施形態を図面を参照して説明する。図１に示したように、刈払機１０は、前後方向に延びる中空の棒状の支持棹１１と、支持棹１１の前端部にカッタユニット２０と、支持棹１１の後端部にコントローラユニット３０とを備えている。
【００１３】
図２及び図３に示したように、カッタユニット２０は、主として、前端ハウジング２１と、電動モータ２２と、減速機構２３と、回転刃２４とから構成される。前端ハウジング２１は支持棹１１の前端部に固定されている。前端ハウジング２１内には電動モータ２２が収容されており、電動モータ２２の出力軸２２ａには減速機構２３を介して回転刃２４が回転可能に連結されている。電動モータ２２の出力軸２２ａ及び減速機構２３の回転軸２３ａは支持棹１１に対して垂直より約３５°前側に傾いて配置されており、支持棹１１の前端側を下向きとなるように傾けて保持したときに回転刃２４が地面に対して平行となっている。回転刃２４は周部に刃部が形成された略円板形状をしており、減速機構２３の回転軸２３ａに着脱可能に固定されている。電動モータ２２を駆動すると、回転する出力軸２２ａにより減速機構２３を介して回転刃２４が回転する。
【００１４】
図４に示したように、コントローラユニット３０は、主として、後端ハウジング３１と、制御回路（図示省略）とから構成される。後端ハウジング３１は支持棹１１の後端部に固定されている。後端ハウジング３１は、図１、図４及び図５に示したように、支持棹１１を倒して地面や作業台等の水平な支持面Ｓに載置した載置状態にて、前後方向と直交する幅方向の長さよりも高さ方向の長さが長い形状をしている。また、後端ハウジング３１の後部の下端には、載置状態としたときに支持面Ｓに接地する後端ハウジング接地部３２が設けられている。後端ハウジング接地部３２は、前後方向と交差する幅方向に延出して下方に突出した２本の突条であり、載置状態にあるときに、２本の突条が全体的に支持面Ｓに接地している。後端ハウジング接地部３２は、各突条に支持面Ｓに接地する多数の接地点を前後方向と交差する幅方向に連続して備えている。
【００１５】
後端ハウジング３１の後部にはバッテリーパック（電源）３３が着脱可能に取り付けられている。バッテリーパック３３は載置状態にて支持面Ｓから離間して取り付けられており、支持面Ｓが濡れていても、バッテリーパック３３が濡れないようになっている。なお、バッテリーパック３３は支持棹１１の内部に配設された図示しないコードによりカッタユニット２０の電動モータ２２に電気的に接続されている。また、後端ハウジング３１の上面には前部にカッタユニット２０の電動モータ２２の回転速度を調整する操作つまみ３４が設けられている。
【００１６】
図３に示したように、支持棹１１の前端部にはカバー４０が設けられている。カバー４０はカッタユニット２０の回転刃２４の後側を覆うものであり、全体として円弧形状をしている。カバー４０の下端部の左右方向の中央部には、載置状態にしたときに支持面Ｓに接地するカバー接地部４１が設けられている。カバー接地部４１は、前後方向と交差する幅方向に連続して延びる平坦な形状をしており、載置状態にあるときに平坦な部分が全体的に支持面Ｓに接地している。カバー接地部４１は、この平坦な部分に支持面Ｓに接地する多数の接地点を前後方向と交差する幅方向に連続して備えている。
【００１７】
支持棹１１の前後方向の中間部にはハンドル４２が固定されている。ハンドル４２は前後方向と交差する幅方向に延び、中間部から上側に湾曲している。ハンドル４２の左右の両端部には作業者が把持するグリップ４３，４３が設けられている。
【００１８】
上記のように構成した刈払機１０は、バッテリーパック３３からの給電によりカッタユニット２０の電動モータ２２が作動し、電動モータ２２の作動により回転刃２４が回転する。作業者は左右の手でハンドル４２の両グリップ４３，４３を把持し、前端のカッタユニット２０の回転刃２４を地面から生える草や芝に当てることで、草や芝が刈り取られる。
【００１９】
上記のように構成した刈払機１０においては、図５及び図６に示したように、使用しないときには支持棹１１を倒してハンドル４２のグリップ４３，４３が斜め上方に向くように支持面Ｓに載置する。支持棹１１を倒して水平な支持面Ｓに載置した載置状態にて、カバー４０の下端部には支持面Ｓに接地するカバー接地部４１と、後端ハウジング３１には支持面Ｓに接地する後端ハウジング接地部３２とを備えている。刈払機１０においては、前端部のカバー接地部４１が前後方向と交差する幅方向に延びる平坦な形状をし、後端部の後端ハウジング接地部３２が前後方向と交差する幅方向に延出して下方に突出した２本の突条よりなり、載置状態にあるときに、前端部のカバー接地部４１の平坦な部分と後端部の後端ハウジング接地部３２の２本の突条が支持面Ｓに接地している。これにより、支持棹１１を倒して水平な支持面Ｓに載置したときに、刈払機１０は左右に傾いて倒れることなく安定して支持面Ｓに載置されるようになる。
【００２０】
上記の実施形態においては、カバー接地部４１は前後方向と交差する幅方向に延びる平坦な形状をし、後端ハウジング接地部３２は前後方向と交差する幅方向に延出して下方に突出した２本の突条であり、カバー接地部４１と後端ハウジング接地部３２との各々が前後方向と交差する幅方向に連続する多数の接地点を支持面Ｓに接地するようにした。しかし、本発明はこれに限られるものでなく、カバー接地部４１に前後方向と交差する幅方向に互いに離間した位置に例えば下方に突出する少なくとも２つの突部を用いた接地点を用いたものであってもよい。同様に、後端ハウジング接地部３２に前後方向と交差する幅方向に互いに離間した位置に例えば下方に突出する少なくとも２つの突部を用いた接地点を用いたものであってもよい。このようにしたときにも、支持棹１１を倒して水平な支持面Ｓに載置したときに、前端部のカバー接地部４１と後端部の後端ハウジング接地部３２との各々に前後方向と交差する幅方向に互いに離間して設けた少なくとも２つの接地点が支持面Ｓに接地するようになる。これにより、刈払機１０は前後にて各２点以上の接地点によって支持面Ｓに接地されることで、左右の幅方向に傾いて倒れることなく安定して載置できるようになる。また、後端ハウジング接地部３２は、前後方向と交差する幅方向に延びる前後方向に互いに離間した２本の突条としたが、１本または３本以上の突条としてもよい。また、同様に、カバー接地部４１と後端ハウジング接地部３２との少なくとも一方を載置状態にあるときに支持面Ｓに接地する平坦な接地面としてもよい。
【００２１】
また、図６に示したように、上記の刈払機１０においては、後端ハウジング３１は載置状態にて前後方向と直交する幅方向の長さよりも高さ方向の長さが長いものを用いている。支持棹１１を倒して支持面Ｓに載置したときに、後端ハウジング３１は縦長であるために倒れやすくなっているが、支持棹１１の前後方向の両端部のカバー接地部４１と後端ハウジング接地部３２とにより、刈払機１０は左右に傾いて倒れることなく安定して支持面Ｓに載置されるようになる。
【００２２】
また、図６に示したように、上記の刈払機１０においては、後端ハウジング３１の後部には接地状態にてカッタユニット２０の電動モータ２２を駆動するバッテリーパック３３を支持面Ｓから離間して取り付けた。バッテリーパック３３を載置状態で支持面Ｓから離間させることで、濡れた支持面Ｓに載置しても、バッテリーパック３３が濡れにくくなる。しかし、後端ハウジング３１の重心がバッテリーパック３３により高くなることで、後端ハウジング３１が左右に転倒しやすくなるが、支持棹１１の前後方向の両端部のカバー接地部４１と後端ハウジング接地部３２とにより、刈払機１０は左右の幅方向に傾いて倒れることなく安定して支持面Ｓに載置されるようになる。
【００２３】
また、図６に示したように、上記の刈払機１０においては、支持棹１１の前後方向の中間部には前後方向と交差する幅方向に延びるハンドル４２が設けられている。支持棹１１を倒して支持面Ｓに載置したときに、幅方向に延びるハンドル４２により左右の幅方向に傾きやすくなるが、支持棹１１の前後方向の両端部のカバー接地部４１と後端ハウジング接地部３２とにより、刈払機１０は左右の幅方向に傾いて倒れることなく安定して支持面Ｓに載置されるようになる。なお、上記の実施形態においては、左右の幅方向に延びるハンドル４２を用いて説明したが、本発明はこれに限られるものでなく、上下方向及び左右の幅方向に延びる長円形のループハンドルを用いたものであってもよい。
【００２４】
上記のように構成した刈払機１０においては、カバー４０を支持棹１１の前端部に固定したが、本発明はこれに限られるものでなく、カバー４０をカッタユニット２０、特にカッタユニット２０の前端ハウジング２１に固定したものであっても同様の作用効果を得ることができる。
【００２５】
また、上記のように構成した刈払機１０においては、カッタユニット２０の前端ハウジング２１内に回転刃２４を回転させる電動モータ２２を収容した。本発明はこれに限られるものでなく、後端ハウジング３１に電動モータまたはエンジン等の原動機を収容し、原動機の駆動を支持棹１１内に介装した駆動軸によりカッタユニット２０の回転刃２４に伝達させるようにしたものであっても同様の作用効果を得ることができる。
【符号の説明】
【００２６】
１０…刈払機、１１…支持棹、２０…カッタユニット、２１…前端ハウジング、２４…回転刃、３０…コントローラユニット、３１…後端ハウジング、３２…後端ハウジング接地部、３３…電源（バッテリーパック）、４０…カバー、４１…カバー接地部、４２…ハンドル。
【図１】
2014117260.tif 000003
【図２】
2014117260.tif 000004
【図３】
2014117260.tif 000005
【図４】
2014117260.tif 000006
【図５】
2014117260.tif 000007
【図６】
2014117260.tif 000008